(57)【要約】【課題】吐水された洗浄水で便鉢を良好に洗浄することができる水洗式便器を提供する。【解決手段】水洗式便器１は、便鉢１０Ａと、便鉢１０Ａの上端部に位置し、便鉢１０Ａの表面に沿って互いに水平方向に遠ざかる方向に洗浄水を吐水する一対の左右吐水口１０Ｄ，１０Ｅと、便鉢１０Ａの上部の表面に沿って水平方向に延び、一対の左右吐水口１０Ｄ，１０Ｅから吐水された洗浄水が流れる一対の洗浄棚１０Ｇと、一対の左右吐水口１０Ｄ，１０Ｅのそれぞれから吐水される洗浄水が衝突し、洗浄水の一部の流れる方向を下向きに変化させ、一対の洗浄棚１０Ｇの上面に向ける一対の衝突壁２０Ｓとを備えている。【選択図】図１
2019203253.tif 000002
【特許請求の範囲】
【請求項１】
便鉢と、
前記便鉢の上端部に位置し、前記便鉢の表面に沿って互いに水平方向に遠ざかる方向に洗浄水を吐水する一対の左右吐水口と、
前記便鉢の上部の表面に沿って水平方向に延び、一対の前記左右吐水口から吐水された洗浄水が流れる洗浄棚と、
一対の前記左右吐水口のそれぞれから吐水される洗浄水が衝突し、洗浄水の一部の流れる方向を下向きに変化させ、前記洗浄棚の上面に向ける一対の衝突壁と、
を備えていることを特徴とする水洗式便器。
【請求項２】
前記衝突壁と前記便鉢の表面の上部との間には水平方向に隙間が形成されており、一対の前記左右吐水口のそれぞれから吐水される洗浄水の一部は、前記隙間を通過して前記洗浄棚に沿って流れることを特徴とする請求項１に記載の水洗式便器。
【請求項３】
一対の前記左右吐水口の間に、下端に向けて前方向に下り傾斜して開口し、洗浄水を吐水する中央吐水口を備えていることを特徴とする請求項１又は２に記載の水洗式便器。
【請求項４】
前記便鉢の後方に洗浄水を貯留する貯留部を備え、
前記貯留部と前記便鉢とを連通し、一対の前記左右吐水口よりも下方であり、一対の前記左右吐水口より小さい流路面積の溜水用吐水口が形成されていることを特徴とする請求項１乃至３のいずれか１項に記載の水洗式便器。
【請求項５】
前記便鉢の少なくとも前端部から前後中央部には、前記洗浄棚から上方向に立ち上がるように延びた立面が備えられていることを特徴とする請求項１乃至４のいずれか１項に記載の水洗式便器。
【発明の詳細な説明】
【技術分野】
【０００１】
本発明は水洗式便器に関する。
【背景技術】
【０００２】
特許文献１には、便鉢の後端の左右中心部に左右方向及び下方向に洗浄水を吐水する一対の入口ポート（吐水口）を備えた水洗式便器が開示されている。また、この水洗式便器は便鉢の上側周囲部分に沿って棚部（洗浄棚）が設けられており、各入口ポートから吐水された洗浄水が左右の棚部を流れ便鉢部の先端まで流れる。
【先行技術文献】
【特許文献】
【０００３】
【特許文献１】特表２０１５−５１８０９７号公報
【発明の概要】
【発明が解決しようとする課題】
【０００４】
しかし、特許文献１の水洗式便器は、棚部の上方に縁が設けられていないため、各入口ポートから棚部に吐水された洗浄水が便鉢の外側に飛び出すおそれがある。
【０００５】
本発明は、上記従来の事情に鑑みてなされたものであって、吐水された洗浄水で便鉢を良好に洗浄することができる水洗式便器を提供することを解決すべき課題としている。
【課題を解決するための手段】
【０００６】
本発明の水洗式便器は、
便鉢と、
前記便鉢の上端部に位置し、前記便鉢の表面に沿って互いに水平方向に遠ざかる方向に洗浄水を吐水する一対の左右吐水口と、
前記便鉢の上部の表面に沿って水平方向に延び、一対の前記左右吐水口から吐水された洗浄水が流れる洗浄棚と、
一対の前記左右吐水口のそれぞれから吐水される洗浄水が衝突し、洗浄水の一部の流れる方向を下向きに変化させ、前記洗浄棚の上面に向ける一対の衝突壁と、
を備えていることを特徴とする。
【０００７】
この水洗式便器は洗浄水を衝突壁に衝突させることによって、適度な水勢で左右吐水口のそれぞれから吐水する洗浄水を洗浄棚に向けることができる。このため、この水洗式便器は洗浄水の飛散を防止しつつ、洗浄棚によって洗浄水を便鉢の表面に満遍なく流して便鉢を洗浄することができる。
【０００８】
したがって、本発明の水洗式便器は吐水された洗浄水で便鉢を良好に洗浄することができる。
【図面の簡単な説明】
【０００９】
【図１】実施例１の水洗式便器の便器本体の平面図である。
【図２】図１における矢視Ａ−Ａ断面図である。
【図３】図１における矢視Ｂ−Ｂ断面図である。
【図４】図３における矢視Ｃ−Ｃ断面図である。
【図５】実施例１の水洗式便器の便器本体であって、上面部が貼着されていない状態を前側上方から見た斜視図である。
【図６】図１における矢視Ｄ−Ｄ断面図である。
【図７】図１における矢視Ｅ−Ｅ断面図である。
【図８】図１における矢視Ｆ−Ｆ断面図である。
【図９】実施例１の水洗式便器の便器本体の導水部に分配器を配置した状態を示す要部を拡大した平面図である。
【図１０】導水部に洗浄タンクを載置した状態の図９における矢視Ｇ−Ｇ断面図である。
【図１１】実施例１の水洗式便器の便器本体にオーバーフロー管、堰き止め部材、及びカバー部材を取り付けた状態を左方から見た一部断面図である。
【図１２】実施例１の水洗式便器の便器本体に、接続部材が接続された状態を右方から見た一部断面図である。
【図１３】図１２における洗浄タンクのみを示す、矢視Ｈ−Ｈ断面図である。
【図１４】実施例１の水洗式便器のインナータンクのフラッパー弁、及び接続部材のフラッパー弁が閉鎖状態のときにおける、（Ａ）は洗浄タンクを前方から見た状態を示す断面図であり、（Ｂ）は水洗式便器を右方から見た状態を示す断面図である。
【図１５】実施例１の水洗式便器のインナータンクのフラッパー弁、及び接続部材のフラッパー弁が開放状態のときにおける、（Ａ）は洗浄タンクを前方から見た状態を示す断面図であり、（Ｂ）は水洗式便器右方から見た状態を示す断面図である。
【図１６】実施例１の水洗式便器にカバー部材を取り付けた状態を右側上方から見た斜視図である。
【図１７】図１６における矢視Ｊ−Ｊ断面図である。
【図１８】実施例１の水洗式便器の便器本体の平面図であって、分配器から吐水された洗浄水が左右吐水口、中央吐水口、及び溜水用吐水口を経由し便鉢を流れる様子を示す。
【図１９】実施例１の水洗式便器の便器本体の平面図であって、便鉢に溜水部が形成された状態を示す。
【発明を実施するための形態】
【００１０】
本発明における好ましい実施の形態を説明する。
【００１１】
本発明の水洗式便器の衝突壁と便鉢の表面の上部との間には水平方向に隙間が形成されており、一対の左右吐水口のそれぞれから吐水される洗浄水の一部は、隙間を通過して洗浄棚に沿って流れ得る。この場合、衝突壁と便鉢の表面との間の水平方向の隙間を通過する洗浄水によって、便鉢の表面の広範囲に洗浄水を流すことができるため、便鉢の表面を良好に洗浄することができる。
【００１２】
本発明の水洗式便器は、一対の左右吐水口の間に、下端に向けて前方向に下り傾斜して開口し、洗浄水を吐水する中央吐水口を備え得る。この場合、便鉢の表面に下方向に沿って洗浄水を吐水することができるため、一対の左右吐水口の間の便鉢の表面を良好に洗浄することができる。
【００１３】
本発明の水洗式便器は、便鉢の後方に洗浄水を貯留する貯留部を備え、
貯留部と便鉢とを連通し、一対の左右吐水口よりも下方であり、一対の左右吐水口より小さい流路面積の溜水用吐水口が形成され得る。この場合、この水洗式便器の溜水用吐水口は一対の左右吐水口のそれぞれの吐水が終了した後でも貯留部に貯留された洗浄水を吐水することができる。このため、溜水用吐水口は左右吐水口のそれぞれからの吐水によって便鉢を洗浄した後に、便鉢に貯留部からの洗浄水を吐水することによって、便鉢に溜水部を確実に形成することができる。
【００１４】
本発明の水洗式便器の便鉢の少なくとも前端部から前後中央部には、洗浄棚から上方向に立ち上がるように延びた立面が備えられ得る。この場合、この水洗式便器は、便鉢の表面を容易に目視することができ清掃し易い。
【００１５】
次に、本発明の水洗式便器を具体化した実施例１について図面を参照しつつ説明する。
【００１６】
＜実施例１＞
実施例の水洗式便器１は、図１２に示すように、便器本体１０、分配器１１、及び洗浄タンク１２を備えている。水洗式便器１はトイレルーム内の設置面Ｆ上に設置される。
便器本体１０は、図１〜５に示すように、便鉢１０Ａ、導水部２０、貯留部２１、洗浄用吐水口である一対の左右吐水口１０Ｄ，１０Ｅ（左右は、図１における左側右側である）、溜水用吐水口１０Ｆを備えている。
便鉢１０Ａは、排出口１０Ｍ、洗浄棚１０Ｇである左側洗浄棚１０Ｈ、洗浄棚１０Ｇである右側洗浄棚１０Ｊ（以降、一対の洗浄棚１０Ｇともいう）、鉢面１０Ｋ、及び立面１０Ｌを具備している。便鉢１０Ａは、上方向に開口し、ほぼ椀状をなしている。排出口１０Ｍは便鉢１０Ａの下端部に上下方向に貫通して形成されている。排出口１０Ｍは、上方からの平面視において、ほぼ円形状である（上下は、図１における手前側奥側である。）。排出口１０Ｍには便鉢１０Ａの下方から後述する接続部材３０が接続される。
【００１７】
一対の洗浄棚１０Ｇは、便鉢１０Ａの内側上部の表面に沿って形成されている（図１、２参照。）。一対の洗浄棚１０Ｇはそれぞれが便鉢１０Ａの上部周縁から連続して便鉢１０Ａの中央部に向けて水平方向に延びている（図３参照。）。
【００１８】
鉢面１０Ｋは便鉢１０Ａの表面の一部であり、便鉢１０Ａの中央部側の一対の洗浄棚１０Ｇの端から便鉢１０Ａの中央部に向けて下り傾斜した面である。
【００１９】
鉢面１０Ｋは、図２に示すように、第１傾斜面１０Ｎ、第２傾斜面１０Ｐ、第３傾斜面１０Ｑ、及び第４傾斜面１０Ｒを具備している。
第１傾斜面１０Ｎは一対の洗浄棚１０Ｇの外周縁から立ち上がる後述する一対の立面１０Ｌのそれぞれの前端を繋ぐように便鉢１０Ａの前端部（前後は、図１における下側上側である）に設けられている（図１、２、６〜８参照。）。第１傾斜面１０Ｎは、上方からの平面視において、便器本体１０の左右中央に向うにつれて前方向に突出するように湾曲している（図１参照。）。第１傾斜面１０Ｎは上端から下端に向かい後側下方に傾斜している。
【００２０】
第２傾斜面１０Ｐは、前端が第１傾斜面１０Ｎの下端に連続し、前端から後端に向かい後側下方に傾斜している。第２傾斜面１０Ｐの傾斜は第１傾斜面１０Ｎよりも緩やかである。第２傾斜面１０Ｐの左右両側の前側には一対の凸面１０Ｓが設けられている（図１、６、７、１８、１９参照。）。これら凸面１０Ｓは、全体が上方向に連続して膨らんでおり、滑らかに湾曲している（図６参照。）。また、各凸面１０Ｓは前端から後端に向かい後側下方に傾斜している。各凸面１０Ｓは、第２傾斜面１０Ｐの前端から前後中央部まで延びており、第２傾斜面１０Ｐの後部に設けられていない。各凸面１０Ｓは、便鉢１０Ａの中央部側の一対の洗浄棚１０Ｇの端の前側に連続している。つまり、便鉢１０Ａは前部の左右中央の両側のそれぞれに、一対の洗浄棚１０Ｇの前部に連続する凸面１０Ｓを具備している。また、各凸面１０Ｓは第１傾斜面１０Ｎの下端の左右両側の端部のそれぞれに連続している。各凸面１０Ｓ、第１傾斜面１０Ｎ、及び一対の洗浄棚１０Ｇは、点Ｃにおいて互いに連続して接している（図１参照。）。各凸面１０Ｓは、一対の洗浄棚１０Ｇと第１傾斜面１０Ｎとの間、及び一対の洗浄棚１０Ｇと第２傾斜面１０Ｐとの間に位置している。つまり、各凸面１０Ｓは、少なくとも一部が一対の洗浄棚１０Ｇと第２傾斜面１０Ｐとの間に位置している。各凸面１０Ｓは一対の洗浄棚１０Ｇと第２傾斜面１０Ｐとを滑らかに連結している。また、一対の洗浄棚１０Ｇは、架空の左右中心線Ｌ１と、排出口１０Ｍの中心を通る架空の直線Ｌ２とがなす角度θが２０度以下の範囲には形成されていない（図１９参照。）。つまり、便鉢１０Ａの前端部には一対の洗浄棚１０Ｇが形成されていない（図８参照。）。
第２傾斜面１０Ｐの傾斜する方向は便座（図示せず）に着座した使用者から小便が放出される方向に近くなるように形成されている。このため、小便は第２傾斜面１０Ｐにぶつかっても跳ね返り難く、周囲に飛散し難い。
また、第２傾斜面１０Ｐにぶつかった小便が跳ね返った際に、この小便の第２傾斜面１０Ｐに対して跳ね返る角度は小さい。そして、第２傾斜面１０Ｐの傾斜よりも急な第１傾斜面１０Ｎや凸面１０Ｓで第２傾斜面１０Ｐを囲むことによって、跳ね返った小便が外部に飛散することを抑えることができる。
また、第２傾斜面１０Ｐにぶつかった小便は、排出口１０Ｍに向けて第２傾斜面１０Ｐ、一対の凸面１０Ｓ、後述する第３傾斜面１０Ｑ、及び後述する第４傾斜面１０Ｒを流下して、これら各面を覆う膜を形成する。この膜に覆われた面にぶつかった小便はこの膜に捕捉され、跳ね返り難くなる。
【００２１】
第３傾斜面１０Ｑは、上端が第２傾斜面１０Ｐの後端に連続し、上端から下端に向かい後側下方に垂下している。第３傾斜面１０Ｑの傾斜は第２傾斜面１０Ｐより急である。つまり、第２傾斜面１０Ｐの傾斜は第１傾斜面１０Ｎ、及び第３傾斜面１０Ｑよりも緩やかである。
第４傾斜面１０Ｒは、前端が第３傾斜面１０Ｑの下端に連続し、前端から後端に向かい後側下方に傾斜している。第４傾斜面１０Ｒの傾斜は第１傾斜面１０Ｎ、及び第３傾斜面１０Ｑよりも緩やかである。
つまり、便鉢１０Ａは、左右中央の断面形状において、前端部から後方下側に傾斜して並んで連続する、第１傾斜面１０Ｎ、第２傾斜面１０Ｐ、及び第３傾斜面１０Ｑを具備している。
【００２２】
立面１０Ｌは便鉢１０Ａの表面の一部であり、一対の洗浄棚１０Ｇの外周縁に連続して洗浄棚１０Ｇから上方向に立ち上がるように延びている。各立面１０Ｌは上端に向うに従い、便鉢１０Ａの中央部から離れるように拡がっている。各立面１０Ｌの前端のそれぞれには第１傾斜面１０Ｎの左右両側の端が連続している（図１、２、６〜８参照。）。また、各立面１０Ｌの後端は後述する導水部２０の一対の貫通孔形成部２０Ｇの側面に連続している。
【００２３】
導水部２０は、図１、２、５に示すように、便鉢１０Ａの後方に設けられており、底壁２０Ａ、一対の左右壁２０Ｂ、後壁２０Ｃ、便鉢１０Ａの上端部の後部１０Ｔ、第１中央壁２０Ｄ、一対の止水壁２０Ｅ、及び上面部２０Ｆで囲まれて形成されている。
底壁２０Ａは便鉢１０Ａの後端部から水平方向で後方向に拡がって延びている。底壁２０Ａは便器本体１０の左右中央に向けて、且つ前方向に向けて緩やかに下り傾斜して形成されている（図２、５参照。）。これにより、導水部２０内の洗浄水が導水部２０内の左右中央、且つ前方向に集まり易くなり、導水部２０内に洗浄水が残り難くすることができる。
一対の左右壁２０Ｂは底壁２０Ａの左右両側のそれぞれの端から立ち上がっている。一対の左右壁２０Ｂの前端は便鉢１０Ａの上端部の後部１０Ｔに向けて屈曲し連結している。
後壁２０Ｃは底壁２０Ａの後端から立ち上がって左右方向に延びており、左右の両端が一対の左右壁２０Ｂのそれぞれの後端に連結している。
便鉢１０Ａの上端部の後部１０Ｔは、一対の洗浄棚１０Ｇの後部のそれぞれから立ち上がって形成された部分であり、各立面１０Ｌの後部を形成する。
【００２４】
第１中央壁２０Ｄは、図５に示すように、左右方向に延びて立ち上がっており、下端が一対の洗浄棚１０Ｇの後端の間であって、鉢面１０Ｋの左右中央部の上端に連続し、上端が一対の洗浄棚１０Ｇの上面より上方に位置している。
一対の止水壁２０Ｅは、第１中央壁２０Ｄの左右両端から後方に向けて延びている。具体的には、左側の止水壁２０Ｅは後方左側に向けて延び、右側の止水壁２０Ｅは後方右側に向けて延びている。また、各止水壁２０Ｅの後端は後述する貫通孔形成部２０Ｇの前側の側面に連結している。一対の止水壁２０Ｅの上端、及び第１中央壁２０Ｄの上端の高さ方向の位置はほぼ同じであり、立面１０Ｌの上端及び貫通孔形成部２０Ｇの上端より低い。また、一対の止水壁２０Ｅの上端、及び第１中央壁２０Ｄの上端の高さ方向の位置は底壁２０Ａよりも高い（図２参照。）。
【００２５】
底壁２０Ａには、一対の左右壁２０Ｂのそれぞれの前後中央部から、便器本体１０の左右中央に向けて延びる一対の第１区画壁２０Ｈが設けられている。また、各第１区画壁２０Ｈのそれぞれの左右中央部の後側の底壁２０Ａには、前後方向に延びる一対の第２区画壁２０Ｊが立ち上がって設けられている。
また、各第１区画壁２０Ｈの左右中央側の端の前側の底壁２０Ａには、便器本体１０の左右中央に対称に前後方向に延びる一対の第１分配器支持壁２０Ｋが立ち上がって設けられている。
また、後壁２０Ｃの左右中央部には、便器本体１０の左右中央に対称に前方向に向けて延びる一対の第２分配器支持壁２０Ｌが設けられている。また、各第２分配器支持壁２０Ｌと各第１分配器支持壁２０Ｋとの間には、便器本体１０の左右中央に対称に第３分配器支持壁２０Ｍが配置されている。各第１分配器支持壁２０Ｋ、各第２分配器支持壁２０Ｌ、及び各第３分配器支持壁２０Ｍはそれぞれが前後方向にほぼ直線状に配置されている。また、一対の第２分配器支持壁２０Ｌ、及び一対の第３分配器支持壁２０Ｍの間の底壁２０Ａは、周囲の底壁２０Ａよりも上方向に高く形成された段部２０Ｖが形成されている。
【００２６】
また、底壁２０Ａの前部には、外形がほぼ円形状をなし、便器本体１０の左右中央に対称に一対の貫通孔形成部２０Ｇが立ち上がって設けられている。各貫通孔形成部２０Ｇの円形状の中央部には上下方向に貫通して貫通孔２０Ｎが形成されている。各貫通孔２０Ｎは底壁２０Ａも貫通して形成されている。各貫通孔２０Ｎは便座等（図示せず）を便器本体１０の上面に載置して固定する際に用いる。上方からの平面視において、各貫通孔２０Ｎの中心と、排出口１０Ｍの中心との間の前後方向の寸法Ｓはおよそ１５０ｍｍである（図１９参照。）。
また、左側の第２区画壁２０Ｊの右側近傍の底壁２０Ａには、板厚方向に貫通して接続孔２０Ｐが形成されている。接続孔２０Ｐには後述するオーバーフロー管３１が連通して接続される。
また、右側の第２区画壁２０Ｊの右側近傍の底壁２０Ａには、板厚方向に貫通して挿通孔２０Ｑが形成されている。挿通孔２０Ｑには後述する洗浄タンク１２の引き上げ棒１２Ｄが挿通される。
【００２７】
上面部２０Ｆはほぼ平板状をなしている。上面部２０Ｆは、図１に示すように、便鉢１０Ａの上端の後側に連続して便鉢１０Ａの後方に延びて拡がっている。上面部２０Ｆは、左右の端のそれぞれが一対の左右壁２０Ｂに連結され、後端が一対の第１区画壁２０Ｈに連結されている。一対の左右壁２０Ｂと後壁２０Ｃとの間の上面部２０Ｆで覆われていない部分には、洗浄タンク１２が載置される（図１０参照。）。
また、上面部２０Ｆには、確認用連通孔２０Ｒが板厚方向に貫通して形成されている。確認用連通孔２０Ｒは各貫通孔２０Ｎに同軸上の位置であり、各貫通孔２０Ｎの内径より大きく、貫通孔形成部２０Ｇの外径より小さい。確認用連通孔２０Ｒは、上面部２０Ｆを便器本体１０に貼着する工程において、上面部２０Ｆが貫通孔形成部２０Ｇに対して隙間なく確実に貼着されているかどうかを確認し易くするために形成されている。
【００２８】
また、上方からの平面視において、上面部２０Ｆの前側は一対の洗浄棚１０Ｇの後部（すなわち、一対の洗浄棚１０Ｇの一部）を覆っている。つまり、便鉢１０Ａの後側は、便鉢１０Ａの上端縁から内側に延びた覆い部Ｅで覆われている。覆い部Ｅは後述する一対の衝突壁２０Ｓ、及び一対の突起部２０Ｕの前方まで延びている。また、覆い部Ｅの便鉢１０Ａの表面側に位置する側面は、衝突壁２０Ｓの便鉢１０Ａの表面側の面に連続しており、衝突壁２０Ｓの便鉢１０Ａの表面側の面から立面１０Ｌに連続して繋がっている。また、一対の洗浄棚１０Ｇの前端部から前後中央部は、一対の立面１０Ｌが一対の洗浄棚１０Ｇの外周縁に連続して洗浄棚１０Ｇから上方向に立ち上がるように延びており、且つ上面部２０Ｆによって覆われていない。このため、一対の洗浄棚１０Ｇの前部は容易に目視することができ清掃し易い。
【００２９】
また、上面部２０Ｆには、図１、３、４に示すように、一対の衝突壁２０Ｓ、及びこれら衝突壁２０Ｓの間に位置して各衝突壁２０Ｓを繋ぐように連結する第２中央壁２０Ｔが垂下して設けられている。各衝突壁２０Ｓ、及び第２中央壁２０Ｔは左右方向に延びており鉢面１０Ｋの後端部に沿うように湾曲して形成されている。また、各衝突壁２０Ｓの下端は、第２中央壁２０Ｔの下端より僅かに下方に位置している（図３参照。）。
【００３０】
また、左側の衝突壁２０Ｓは、左側の止水壁２０Ｅの前端より左側に配置され、右側の衝突壁２０Ｓは、右側の止水壁２０Ｅの前端より右側に配置されている（図４参照。）。各衝突壁２０Ｓの第２中央壁２０Ｔから離れた端には後方向に屈曲し、立面１０Ｌに近づくように延びる突起部２０Ｕが設けられている（図４参照。）。各突起部２０Ｕは、上端から下端に向うにつれて、便器本体１０の左右中央に向けて傾斜している（図３参照。）。各衝突壁２０Ｓ、及び各突起部２０Ｕの立面１０Ｌとの間には水平方向に所定の隙間Ｇが形成されている（図４参照。）。つまり、衝突壁２０Ｓと便鉢１０Ａの表面の上部との間には水平方向に隙間Ｇが形成されている。隙間Ｇは、左右吐水口１０Ｄ，１０Ｅの開口する幅（すなわち、第１中央壁２０Ｄと貫通孔形成部２０Ｇの前側の側面とを連結する止水壁２０Ｅの寸法）の半分より小さい寸法である（図４参照。）。
また、各衝突壁２０Ｓは左右吐水口１０Ｄ，１０Ｅから離れるに従い、立面１０Ｌに徐々に近づくように形成されており、各衝突壁２０Ｓと各立面１０Ｌとの間の洗浄水が流れる隙間の寸法が徐々に小さくなっている（図４参照。）。また、鉢面１０Ｋ側から各止水壁２０Ｅを正面に見た場合、各衝突壁２０Ｓは左右吐水口１０Ｄ，１０Ｅを覆うように配置されている（図示せず。）。
【００３１】
第２中央壁２０Ｔの下端は第１中央壁２０Ｄの上端に連結している（図３参照。）。また、第２中央壁２０Ｔの下端の左右中央部と、第１中央壁２０Ｄの上端の左右中央部との間には左右方向に長く開口された中央吐水口１０Ｂが形成されている（図２、３参照。）。中央吐水口１０Ｂは後述する一対の左右吐水口１０Ｄ，１０Ｅの間に形成されている（図３参照。）。中央吐水口１０Ｂは、下側の面及び上側の面が前方向に下り傾斜して開口している（図２参照。）。つまり、中央吐水口１０Ｂは、下端に向けて前方向に下り傾斜して開口している。具体的には、中央吐水口１０Ｂの下側の面及び上側の面の下り傾斜は、水平方向に対しておよそ３０度である。これにより、中央吐水口１０Ｂから導水部２０内を見え難くすることができ、さらに、洗浄水が中央吐水口１０Ｂから前方向に飛び出して吐水することを抑え、洗浄水を鉢面１０Ｋに沿って下向きに流すことができる。
また、中央吐水口１０Ｂの鉢面１０Ｋの表面側の下端は一対の左右吐水口１０Ｄ，１０Ｅの下端よりも下方に位置している（図３参照。）。
【００３２】
貯留部２１は第１中央壁２０Ｄ、及び一対の止水壁２０Ｅの上端よりも低い導水部２０内の領域（図２における、点線より下の領域）である。つまり、貯留部２１は、便鉢１０Ａの後方に位置し、導水部２０の一部として形成されている。
【００３３】
一対の左右吐水口１０Ｄ，１０Ｅのそれぞれは、図２に示すように、上面部２０Ｆ、一対の貫通孔形成部２０Ｇ、一対の止水壁２０Ｅ、及び第２中央壁２０Ｔで囲まれて形成されている。一対の左右吐水口１０Ｄ，１０Ｅは便鉢１０Ａの上端部であって一対の洗浄棚１０Ｇより上方に互いに左右方向に並んで位置している（図１参照。）。一対の左右吐水口１０Ｄ，１０Ｅは導水部２０の洗浄水を便鉢１０Ａに吐水する。
【００３４】
溜水用吐水口１０Ｆは、図３〜５に示すように、右側の止水壁２０Ｅの下端部に止水壁２０Ｅの板厚方向に貫通して形成されている。溜水用吐水口１０Ｆの下端は左右吐水口１０Ｄ，１０Ｅ、及び中央吐水口１０Ｂの下端より下方に位置している。また、溜水用吐水口１０Ｆは、便鉢１０Ａに流入した洗浄水によって便鉢１０Ａに形成される溜水部Ｐより上方に位置している（図３参照。）。溜水用吐水口１０Ｆは、左右吐水口１０Ｄ，１０Ｅ、及び中央吐水口１０Ｂより小さい流路面積である（図３参照。）。溜水用吐水口１０Ｆは貯留部２１と便鉢１０Ａとを連通しており、貯留部２１の洗浄水を便鉢１０Ａに吐水する。
【００３５】
分配器１１は、図９、１０に示すように、導水部２０内に配置される。分配器１１は、基部１１Ａ、一対の突出部１１Ｂ、及びホース部１１Ｃを具備している。基部１１Ａは上下方向に延びる円筒状をなしており、上端が開口し、下端が閉鎖されている。基部１１Ａの上端部は後述する洗浄タンク１２のインナータンク１２Ｂの流出口１２Ｅに水密状に連通して接続される（図１０参照。）。
一対の突出部１１Ｂは筒状をなしており、基部１１Ａの外周から左右方向に突出している。各突出部１１Ｂのそれぞれの先端は閉鎖されている。
ホース部１１Ｃは、筒状をなしており、基部１１Ａの外周から前方向に延びている。ホース部１１Ｃの先端は閉鎖されている。ホース部１１Ｃの先端部は先端に向うにつれ左右方向の幅が小さく形成されている（図９参照。）。ホース部１１Ｃの前側には垂下した垂下片１１Ｆが設けられている（図１０参照。）。ホース部１１Ｃの先端部の左右両側には一対の第１開口部１１Ｄが前後方向に長く開口して形成されている。各第１開口部１１Ｄの前側は前端に向い上方向に上り傾斜している（図１０参照。）。ホース部１１Ｃの基端部の下側には後側下方に向けて開口した第２開口部１１Ｅが形成されている。第２開口部１１Ｅは貯留部２１内に位置している。第２開口部１１Ｅは便器本体１０の段部２０Ｖの前方に位置している。第２開口部１１Ｅは一対の第１開口部１１Ｄよりも上流側に位置している。上方からの平面視において、第２開口部１１Ｅの少なくとも一部は、上面部２０Ｆより後方に位置している。つまり、上方からの平面視において、第２開口部１１Ｅの少なくとも一部は洗浄タンク１２が載置される部分に重なって配置されている。
分配器１１は、各突出部１１Ｂを導水部２０の第２分配器支持壁２０Ｌ、及び第３分配器支持壁２０Ｍの間に配置し、ホース部１１Ｃを一対の第１分配器支持壁２０Ｋの間に挟み、垂下片１１Ｆの下端を底壁２０Ａの上面に当接させて導水部２０内に配置される。
【００３６】
導水部２０の底壁２０Ａの接続孔２０Ｐには、図１１に示すように、オーバーフロー管３１の一端が連通して接続されている。つまり、オーバーフロー管３１は貯留部２１（すなわち、導水部２０の一部）に連通している。オーバーフロー管３１の中央部にはＳ字状をなしたトラップ３１Ａが形成されている。オーバーフロー管３１の他端は排水管に接続される（図示せず。）。オーバーフロー管３１は便器本体１０の左側に配置される。また、オーバーフロー管３１の一端は、便器本体１０の左右中央に向けて、且つ前方向に向けて緩やかに下り傾斜する底壁２０Ａの上部側に位置している。
【００３７】
導水部２０の底壁２０Ａの接続孔２０Ｐの上側には、円筒状をなした堰き止め部材３１Ｂの一端面が当接し、接続孔２０Ｐに連通して連結されている。堰き止め部材３１Ｂの軸方向の中間部の外周には板厚方向に貫通した開口３１Ｃが形成されている。便器洗浄を実行した際には、導水部２０又は貯留部２１に流入した洗浄水の一部が堰き止め部材３１Ｂの開口３１Ｃを介してオーバーフロー管３１に流入する。また、堰き止め部材３１Ｂの外側で開口３１Ｃの下端より低い位置の洗浄水はオーバーフロー管３１に流入しない。堰き止め部材３１Ｂは、オーバーフロー管３１の一端に対する開口３１Ｃの上下方向の位置を変更したり、開口３１Ｃの開口面積を変更したりすることによって、オーバーフロー管３１に流入する洗浄水の量と、便鉢１０Ａに吐水される洗浄水の量との割合を所望の割合にすることができる。
【００３８】
便鉢１０Ａの鉢面１０Ｋの排出口１０Ｍには、図１２に示すように、接続部材３０が接続される。接続部材３０はほぼ円筒状をなしており、上端開口部が排出口１０Ｍの外周面に接続される。また、接続部材３０の下端開口部は、設置面Ｆの下方に配置された排水管に接続する（図示せず。）。
接続部材３０には閉止具３０Ａが設けられている。閉止具３０Ａは、フラッパー弁３０Ｂ、及び支持部材３０Ｃを具備している。フラッパー弁３０Ｂは円盤状に形成されている。支持部材３０Ｃは、Ｌ字状に形成され、Ｌ字状の長辺側にフラッパー弁３０Ｂを支持するように連結し、Ｌ字状の短辺側が垂下するように配置される。支持部材３０Ｃは、Ｌ字状の長辺と短辺とが連結する部分に回動軸部３０Ｅが設けられ、回動軸部３０Ｅを中心に回動自在に軸支されている。
支持部材３０ＣのＬ字状の短辺側の下端部には引き棒３０Ｄの一端部が連結されている。引き棒３０Ｄの他端部は便器本体１０の底壁２０Ａの下方に取り付けられた中間連結部材１０Ｕに連結されている。中間連結部材１０Ｕは便器本体１０に対して回動自在に軸支され連結されている。中間連結部材１０Ｕには後述する洗浄タンク１２の引き上げ棒１２Ｄの他端が連結されている。
【００３９】
支持部材３０Ｃは引張りコイルバネ等の付勢部材（図示せず）によってフラッパー弁３０Ｂが排出口１０Ｍの外周面に接続された接続部材３０の上端開口部を閉鎖する方向に回動するように付勢されている。これにより、フラッパー弁３０Ｂは排出口１０Ｍを閉鎖する閉鎖状態を維持することができる。フラッパー弁３０Ｂが閉鎖状態になることによって、排水管側の臭気がトイレルーム側に流れることを抑える。
後述する洗浄タンク１２のレバー１２Ｃを操作し、引き上げ棒１２Ｄを引き上げ、中間連結部材１０Ｕを介して引き棒３０Ｄを後方に引き、支持部材３０Ｃの短辺側を後方に引くと、フラッパー弁３０Ｂは、排出口１０Ｍから離れる方向に回動軸部３０Ｅを中心に回動し、排出口１０Ｍを開放する開放状態になる（図１５参照。）。また、洗浄タンク１２のレバー１２Ｃの操作を止めると、フラッパー弁３０Ｂは再び閉鎖状態になる（図１２参照。）。
【００４０】
洗浄タンク１２は導水部２０の後側の上面に載置される。洗浄タンク１２は、図１３に示すように、アウタータンク１２Ａ、インナータンク１２Ｂ、レバー１２Ｃ、引き上げ棒１２Ｄを具備している。アウタータンク１２Ａは上下方向に延び、ほぼ直方体状をなした箱である。アウタータンク１２Ａは上端、及び下端の中央部が開口している。
【００４１】
インナータンク１２Ｂは上下方向に延びた箱である。インナータンク１２Ｂは上端が開口している。また、インナータンク１２Ｂの下端の中央部には流出口１２Ｅが下方向に延びて形成されている。また、インナータンク１２Ｂの右部の前側には後側左方に向けて窪んだ窪み部１２Ｐが上下方向に延びて形成されている。インナータンク１２Ｂはアウタータンク１２Ａ内に配置され、流出口１２Ｅがアウタータンク１２Ａの下端の開口に挿通されている。インナータンク１２Ｂの流出口１２Ｅには分配器１１の基部１１Ａの上端部が水密状に連通して接続される（図１０参照。）。
また、インナータンク１２Ｂの流出口１２Ｅの上端には、流出口１２Ｅを開放する開放状態、及び閉鎖する閉鎖状態にするフラッパー弁１２Ｆが設けられている。フラッパー弁１２Ｆは後端部がヒンジ部材（図示せず）を介してインナータンク１２Ｂに連結しており、ヒンジ部材に設けられた回動軸（図示せず）を中心に回動自在な構成となっている。インナータンク１２Ｂは洗浄水をおよそ５Ｌ（リットル）貯水することができる。
【００４２】
レバー１２Ｃはアウタータンク１２Ａの右側側面の上部に配置されている。レバー１２Ｃはほぼ円柱状をなした回動部１２Ｇ、回動部１２Ｇの外周面から垂下して延びるレバー本体１２Ｈ、及び回動部１２Ｇから同軸上に水平方向にアウタータンク１２Ａ内に延びる軸部材１２Ｊを具備している。レバー１２Ｃは、レバー本体１２Ｈを前方向に引くと、軸部材１２Ｊの中心軸周りに回動し、レバー本体１２Ｈがほぼ水平方向になる位置まで回動することができる構成となっている。
【００４３】
軸部材１２Ｊには、第１連結部１２Ｋ、及び第２連結部１２Ｌが垂下して設けられている。第１連結部１２Ｋは軸部材１２Ｊの先端部に配置されている。第１連結部１２Ｋの先端部には玉鎖１２Ｍの一端が連結されており、玉鎖１２Ｍの他端がフラッパー弁１２Ｆに連結されている。また、玉鎖１２Ｍの上下方向の中央部にはフロート部材１２Ｎが連結されている。フロート部材１２Ｎは、所謂、浮きであり、中空に形成された内部に空気が封入され、漏出しないようにされている。フロート部材１２Ｎは、玉鎖１２Ｍに係止された係止部材１２Ｑによって、玉鎖１２Ｍの一端部側への移動が規制されている。係止部材１２Ｑは玉鎖１２Ｍに対して着脱自在である。フロート部材１２Ｎは、インナータンク１２Ｂに洗浄水が貯水された状態において、玉鎖１２Ｍを介してフラッパー弁１２Ｆに所定の浮力を付与することができる。
また、係止部材１２Ｑを玉鎖１２Ｍから取り外すことによって、フロート部材１２Ｎは玉鎖１２Ｍを一端部側に移動できるようになり、インナータンク１２Ｂに洗浄水が貯水された状態になってもフラッパー弁１２Ｆに所定の浮力を付与しないようにすることができる。
第２連結部１２Ｌは軸部材１２Ｊの中央部であって、インナータンク１２Ｂの窪み部１２Ｐの上端部に配置されている。第２連結部１２Ｌの先端には引き上げ棒１２Ｄの一端が連結されている。引き上げ棒１２Ｄは、インナータンク１２Ｂの窪み部１２Ｐに沿って配置され、他端が便器本体１０の中間連結部材１０Ｕに連結している（図１２、１４、１５参照。）。
【００４４】
図１５に示すように、レバー本体１２Ｈを前方向に引き（レバー１２Ｃを操作し）、回動部１２Ｇ及び軸部材１２Ｊを回動させると、第１連結部１２Ｋ、及び第２連結部１２Ｌが回動部１２Ｇ、及び軸部材１２Ｊと共に回動し、玉鎖１２Ｍ、及び引き上げ棒１２Ｄが引き上げられる。こうして、インナータンク１２Ｂのフラッパー弁１２Ｆ、及び接続部材３０のフラッパー弁３０Ｂが閉鎖状態から開放状態になる。
【００４５】
また、レバー本体１２Ｈを前方向に引くことを止める（レバー１２Ｃの操作を止める）と、図１４に示すように、第１連結部１２Ｋ、及び第２連結部１２Ｌによって引き上げられていた玉鎖１２Ｍ、及び引き上げ棒１２Ｄが下方向に移動する。こうして、インナータンク１２Ｂのフラッパー弁１２Ｆ、及び接続部材３０のフラッパー弁３０Ｂが開放状態から閉鎖状態になる。インナータンク１２Ｂのフラッパー弁１２Ｆには、フロート部材１２Ｎの浮力が玉鎖１２Ｍを介して付与されている。このため、レバー１２Ｃの操作を止めた後、インナータンク１２Ｂ内の洗浄水が所定の水量以下になったときに、インナータンク１２Ｂのフラッパー弁１２Ｆは閉鎖状態になる。この場合、フラッパー弁１２Ｆが閉鎖状態になるまでの間に、インナータンク１２Ｂから吐水される洗浄水の量は、およそ５Ｌ（リットル）である。
つまり、インナータンク１２Ｂのフラッパー弁１２Ｆは、レバー１２Ｃの操作を止めた後、所定の時間が経過した後に開放状態から閉鎖状態に変化する。また、接続部材３０のフラッパー弁３０Ｂも、レバー１２Ｃの操作を止めた後、所定の時間が経過した後に閉鎖状態に変化するように構成されている。具体的には、レバー１２Ｃの操作を止めた後、一対の左右吐水口１０Ｄ，１０Ｅ、及び中央吐水口１０Ｂから洗浄水の吐水がほぼ終了したときに、接続部材３０のフラッパー弁３０Ｂは閉鎖状態になる。
【００４６】
また、玉鎖１２Ｍから係止部材１２Ｑを取り外した場合、フロート部材１２Ｎの浮力がフラッパー弁１２Ｆに付与されなくなる。この場合、レバー１２Ｃの操作を止めた後、係止部材１２Ｑを取り付けていた場合に比べて短時間で、インナータンク１２Ｂのフラッパー弁１２Ｆは開放状態から閉鎖状態になる。この場合、フラッパー弁１２Ｆが閉鎖状態になるまでの間に、インナータンク１２Ｂから吐水される洗浄水の量は、およそ１Ｌ（リットル）である。
つまり、洗浄水の確保が難しい災害時等には、係止部材１２Ｑを取り外し、インナータンク１２Ｂから吐水される洗浄水の量をおよそ１Ｌ（リットル）に制限して洗浄水の使用量を抑える。
【００４７】
導水部２０の底壁２０Ａの下側には、図１１、１２に示すように、便器本体１０の左右中央に対称に一対の止まり穴１０Ｖが形成されている。各止まり穴１０Ｖは底壁２０Ａの下方の左右両側から左右中央に向けて窪んで形成されている。また、各止まり穴１０Ｖにはアンカープラグ３２が嵌め込まれている（図１７参照。）。
【００４８】
導水部２０の下方には、一対のカバー部材３３が配置されている。各カバー部材３３はオーバーフロー管３１、及び引き棒３０Ｄを覆っている。これにより、水洗式便器１を使用する使用者に対してオーバーフロー管３１、及び引き棒３０Ｄを見え難くすることができる。各カバー部材３３はほぼ四角形状をなした板状である。各カバー部材３３の上端縁は導水部２０の左右壁２０Ｂに沿うように配置されている。また、各カバー部材３３の前端縁は便鉢１０Ａの左右両側及び前側を覆う外周壁１０Ｗの後端に沿うように配置されている（図１６参照。）。各カバー部材３３には、ねじ挿通孔３３Ａが板厚方向に貫通して形成されている（図１７参照。）。ねじ挿通孔３３Ａは各カバー部材３３の便器本体１０の止まり穴１０Ｖに対応する位置に形成されている（図１７参照。）。
【００４９】
各カバー部材３３は、図１７に示すように、ねじ挿通孔３３Ａにワッシャ３４Ａを挿通したねじ３４を挿通し、ねじ３４を各止まり穴１０Ｖに嵌めこまれたアンカープラグ３２に締め込むことによって便器本体１０に固定される。また、各ねじ３４のねじ頭には目隠し部材３４Ｂが被せられる。また、各カバー部材３３の四隅の近傍は面ファスナー３３Ｂによって便器本体１０に連結されている（図１１、１２、１６参照。）。これにより、各カバー部材３３は便器本体１０から容易に脱落しない。
【００５０】
次に、水洗式便器１の洗浄水の流れ方について説明する。
【００５１】
使用者が洗浄タンク１２のレバー１２Ｃを操作すると、図１５（Ａ）、（Ｂ）に示すように、洗浄タンク１２のインナータンク１２Ｂのフラッパー弁１２Ｆが閉鎖状態から開放状態に変化し、インナータンク１２Ｂに貯留された洗浄水が流出口１２Ｅから流出し、分配器１１に流入する。
そして、分配器１１の第１開口部１１Ｄ、及び第２開口部１１Ｅから導水部２０、貯留部２１、及びオーバーフロー管３１に流入する（図１０、１１、１８参照。）。オーバーフロー管３１には堰き止め部材３１Ｂの開口３１Ｃを介して洗浄水が流入する（図１１参照。）。このとき、導水部２０、及び貯留部２１は一時的に洗浄水を貯留する。
また、このとき、接続部材３０のフラッパー弁３０Ｂも閉鎖状態から開放状態に変化する。
そして、使用者がレバー１２Ｃの操作を止めても、インナータンク１２Ｂのフラッパー弁１２Ｆ、及び接続部材３０のフラッパー弁３０Ｂは、所定の時間、開放状態を維持する。
【００５２】
分配器１１の第１開口部１１Ｄから吐水された洗浄水は、図１０、１８に示すように、一対の左右吐水口１０Ｄ，１０Ｅに向けて流れる。また、第１開口部１１Ｄは洗浄タンク１２から貯留部２１より上方の導水部２０に向けて洗浄水を吐水する（図１０参照。）。
分配器１１の第２開口部１１Ｅから吐水された洗浄水は導水部２０の底壁２０Ａに向けて流れる（図１０参照。）。つまり、第２開口部１１Ｅは洗浄タンク１２から貯留部２１に向けて洗浄水を吐水する（図１０参照。）。
そして、一対の左右吐水口１０Ｄ，１０Ｅ、中央吐水口１０Ｂ、及び溜水用吐水口１０Ｆから洗浄水が吐水される。こうして、導水部２０は洗浄水が流通する。
【００５３】
一対の左右吐水口１０Ｄ，１０Ｅのそれぞれから吐水された洗浄水の一部は、図１８に示すように、所定の隙間Ｇを通過して、左側洗浄棚１０Ｈ、及び右側洗浄棚１０Ｊに沿って前方向に流れつつ鉢面１０Ｋを流下して排出口１０Ｍに向けて流れる。つまり、一対の左右吐水口１０Ｄ，１０Ｅは便鉢１０Ａの表面に沿って互いに水平方向に遠ざかる方向に洗浄水を吐水する。また、左側洗浄棚１０Ｈ、及び右側洗浄棚１０Ｊには一対の左右吐水口１０Ｄ，１０Ｅから吐水された洗浄水が流れる。
【００５４】
また、一対の左右吐水口１０Ｄ，１０Ｅのそれぞれから吐水された洗浄水の別の一部は、各衝突壁２０Ｓに衝突し、洗浄水の別の一部の流れる方向が下向きに変化し、左側洗浄棚１０Ｈ、及び右側洗浄棚１０Ｊのそれぞれの上面に向かう方向に変更される。左右吐水口１０Ｄ，１０Ｅから吐水された洗浄水は衝突壁２０Ｓによって便鉢１０Ａの外部に飛散することが抑えられる。そして、第１傾斜面１０Ｎに到達した洗浄水は、第２傾斜面１０Ｐ、第３傾斜面１０Ｑ、及び第４傾斜面１０Ｒを流下して排出口１０Ｍに向けて流れる。また、左側洗浄棚１０Ｈ、及び右側洗浄棚１０Ｊから各凸面１０Ｓに流入した洗浄水は前方向に流れ易い。このため、左側洗浄棚１０Ｈ、及び右側洗浄棚１０Ｊから各凸面１０Ｓに流入した洗浄水は前方向に流れた後、第２傾斜面１０Ｐに流入し、第３傾斜面１０Ｑ、及び第４傾斜面１０Ｒを流下して排出口１０Ｍに向けて流れる。
また、中央吐水口１０Ｂから吐水される洗浄水は第１中央壁２０Ｄ、及び鉢面１０Ｋの後端部を流下して排出口１０Ｍに向けて流れる。
また、溜水用吐水口１０Ｆから吐水される洗浄水は、右吐水口１０Ｅから吐水される洗浄水と同様に流れる。
【００５５】
また、オーバーフロー管３１内に異物等が流入していた場合、オーバーフロー管３１に洗浄水が流入することによってオーバーフロー管３１内の異物を排水管に向けて排出することができる（図示せず。）。また、オーバーフロー管３１に洗浄水が流入することによってトラップ３１Ａに封水を形成することができる（図示せず。）。
【００５６】
そして、導水部２０内の洗浄水の水位が左右吐水口１０Ｄ，１０Ｅ、及び中央吐水口１０Ｂの下端より低くなる（すなわち、貯留部２１のみに洗浄水が貯留された状態になる）と、左右吐水口１０Ｄ，１０Ｅ、及び中央吐水口１０Ｂからの洗浄水の吐水が終了する。このとき、接続部材３０のフラッパー弁３０Ｂが開放状態から閉鎖状態に変化する。
【００５７】
そして、接続部材３０のフラッパー弁３０Ｂが開放状態から閉鎖状態に変化した後においても、左右吐水口１０Ｄ，１０Ｅ、及び中央吐水口１０Ｂの下端より下に位置する溜水用吐水口１０Ｆから貯留部２１内の洗浄水が吐水される。これにより、便鉢１０Ａ内に溜水部Ｐが形成される（図３、１９参照。）。溜水部Ｐの溜水の量はおよそ１．５Ｌ（リットル）である。この溜水の量は、公知のトラップ式水洗式便器の溜水部の溜水の量より少ない。つまり、水洗式便器１は、より少ない洗浄水で便鉢１０Ａから汚物を排出する。また、図１９に示すように、溜水部Ｐの溜水面の前後方向の寸法Ｄがおよそ２１０ｍｍであり、左右方向の寸法Ｗがおよそ１８０ｍｍである。
【００５８】
また、溜水用吐水口１０Ｆは、左右吐水口１０Ｄ，１０Ｅ、及び中央吐水口１０Ｂと共に洗浄水を吐水して鉢面１０Ｋを洗浄することができ、左右吐水口１０Ｄ，１０Ｅ、及び中央吐水口１０Ｂからの洗浄水の吐水が終了した後でも便鉢１０Ａ内に溜水部Ｐを形成するために洗浄水の吐水を継続することができる。
【００５９】
また、溜水部Ｐの溜水は、接続部材３０のフラッパー弁３０Ｂが開放状態から閉鎖状態に変化した後に溜水用吐水口１０Ｆから吐水された洗浄水である。つまり、溜水部Ｐの溜水の量は、水洗式便器１を使用する毎のレバー１２Ｃの操作のばらつきに影響され難く、ばらつき難い。
【００６０】
このように、水洗式便器１は洗浄水を衝突壁２０Ｓに衝突させることによって、適度な水勢で左右吐水口１０Ｄ，１０Ｅのそれぞれから吐水する洗浄水を一対の洗浄棚１０Ｇに向けることができる。このため、水洗式便器１は洗浄水の飛散を防止しつつ、一対の洗浄棚１０Ｇによって洗浄水を便鉢１０Ａの表面に満遍なく流して便鉢１０Ａの洗浄をすることができる。
【００６１】
したがって、本発明の水洗式便器１は吐水された洗浄水で便鉢１０Ａを良好に洗浄することができる。
【００６２】
また、水洗式便器１の衝突壁２０Ｓと便鉢１０Ａの表面の上部との間には水平方向に隙間Ｇが形成されており、一対の左右吐水口１０Ｄ，１０Ｅのそれぞれから吐水される洗浄水の一部は、隙間Ｇを通過して一対の洗浄棚１０Ｇのそれぞれに沿って流れる。このため、衝突壁２０Ｓと便鉢１０Ａの表面との間の水平方向の隙間Ｇを通過する洗浄水によって、便鉢１０Ａの表面の広範囲に洗浄水を流すことができるため、便鉢１０Ａの表面を良好に洗浄することができる。
【００６３】
また、水洗式便器１は、一対の左右吐水口１０Ｄ，１０Ｅの間に、下端に向けて前方に下り傾斜して開口し、洗浄水を吐水する中央吐水口１０Ｂを備えている。このため、便鉢１０Ａの表面に下方向に沿って洗浄水を吐水することができるため、一対の左右吐水口１０Ｄ，１０Ｅの間の便鉢１０Ａの表面を良好に洗浄することができる。
【００６４】
また、水洗式便器１は、便鉢１０Ａの後方に洗浄水を貯留する貯留部２１を備え、
貯留部２１と便鉢１０Ａとを連通し、一対の左右吐水口１０Ｄ，１０Ｅよりも下方であり、一対の左右吐水口１０Ｄ，１０Ｅより小さい流路面積の溜水用吐水口１０Ｆが形成されている。このため、水洗式便器１の溜水用吐水口１０Ｆは一対の左右吐水口１０Ｄ，１０Ｅのそれぞれの吐水が終了した後でも貯留部２１に貯留された洗浄水を吐水することができる。このため、溜水用吐水口１０Ｆは左右吐水口１０Ｄ，１０Ｅのそれぞれからの吐水によって便鉢１０Ａを洗浄した後に、便鉢１０Ａに貯留部２１からの洗浄水を吐水することによって、便鉢１０Ａに溜水部Ｐを確実に形成することができる。
【００６５】
また、水洗式便器１の便鉢１０Ａの前端部から前後中央部には、一対の洗浄棚１０Ｇから上方向に立ち上がるように延びた立面１０Ｌが備えられる。このため、水洗式便器１は、便鉢１０Ａの表面を容易に目視することができ清掃し易い。
【００６６】
本発明は上記記述及び図面によって説明した実施例１に限定されるものではなく、例えば次のような実施例も本発明の技術的範囲に含まれる。
（１）実施例１では、洗浄水を貯留する洗浄タンクを例示したが、洗浄タンクを設けず、給水源から開閉弁を介して洗浄水を直接吐水してもよい。
（２）実施例１では、分配器を介して左右吐水口、中央吐水口、溜水用吐水口から便鉢内に洗浄水を吐水することを例示したが、分配器を設けず、洗浄タンクから直接導水部内に洗浄水を流入させて左右吐水口、中央吐水口、溜水用吐水口から便鉢内に洗浄水を吐水してもよい。
（３）実施例１では、上方からの平面視において、上面部が一対の洗浄棚の一部を覆っているが、上面部が一対の洗浄棚の全体を覆ってもよい。
（４）実施例１では、左右吐水口が便鉢の後端部に設けられているが、便鉢の左側、右側、又は前側に設けられていてもよい。
（５）オーバーフロー管をトラップ式の水洗式便器に設けてもよい。
（６）実施例１では、堰き止め部材がオーバーフロー管の一端に連通して設けられているが、例えば、堰き止め部材の開口を開放する開放状態と閉鎖する閉鎖状態とに切り替え自在なシャッター部材を設け、シャッター部材を水洗式便器の外部から操作する構成としてもよい。これにより、例えば、洗浄水の確保が難しい災害時等には、開口を閉鎖状態にしてオーバーフロー管への洗浄水の流入を制限して洗浄水の使用量を抑え、洗浄水の確保が容易である時には、開口を開放状態にして、オーバーフロー管へ洗浄水が流入させることができる。
（７）実施例１では溜水用吐水口が右側の止水壁の下端部に形成されているが、左側の止水壁に形成してもよく、左右の止水壁に形成してもよい。また、溜水用吐水口を止水壁の上端部に設けてもよい。また、溜水用吐水口の外形形状は円形状に限らず、他の外形形状であってもよい。
【符号の説明】
【００６７】
１０Ａ…便鉢
１０Ｂ…中央吐水口
１０Ｄ，１０Ｅ…左右吐水口
１０Ｆ…溜水用吐水口
１０Ｇ…一対の洗浄棚（洗浄棚）
１０Ｌ…立面
２０Ｓ…衝突壁
２１…貯留部
Ｇ…隙間
【図１】
2019203253.tif 000003
【図２】
2019203253.tif 000004
【図３】
2019203253.tif 000005
【図４】
2019203253.tif 000006
【図５】
2019203253.tif 000007
【図６】
2019203253.tif 000008
【図７】
2019203253.tif 000009
【図８】
2019203253.tif 000010
【図９】
2019203253.tif 000011
【図１０】
2019203253.tif 000012
【図１１】
2019203253.tif 000013
【図１２】
2019203253.tif 000014
【図１３】
2019203253.tif 000015
【図１４】
2019203253.tif 000016
【図１５】
2019203253.tif 000017
【図１６】
2019203253.tif 000018
【図１７】
2019203253.tif 000019
【図１８】
2019203253.tif 000020
【図１９】
2019203253.tif 000021